(57)【特許請求の範囲】
【請求項１】
データ測定装置で測定した測定データを、ネットワークを介して外部装置に送出するように構成されたデータ測定システムにおいて、
ネットワークの異常を検知してネットアラーム情報を出力する機能を有するネットワーク監視手段が接続され、
データ測定装置は、ネットワーク監視手段から出力されるネットアラーム情報を受けて、測定データの外部への送出を停止し測定データとともにネットアラーム情報の履歴データも内部に保存することを特徴とするデータ測定システム。
【請求項２】
データ測定装置で測定した測定データを、ネットワークを介して外部装置に送出するように構成されたデータ測定システムにおいて、
ネットワークの異常を検知してネットアラーム情報を出力する機能を有するネットワーク監視手段が接続され、
データ測定装置は、ネットワーク監視手段から出力されるネットアラーム情報を受けて、測定データの外部への送出を停止し内部に保存し、ネットワークが回復した時点でネットワーク異常期間中に内部に保存していた測定データをネットアラーム情報の履歴データとともにネットワークを介して外部装置に送出することを特徴とするデータ測定システム。
【請求項３】
データ測定装置で測定した測定データを、ネットワークを介して外部装置に送出するように構成されたデータ測定システムにおいて、
ネットワークの異常を検知してネットアラーム情報を出力する機能を有するネットワーク監視手段が接続され、
ネットワーク監視手段から出力されるネットアラーム情報を外部に出力するためのネットワーク以外の通信手段を設け、
データ測定装置は、ネットワーク監視手段から出力されるネットアラーム情報を受けて、測定データの外部への送出を停止し内部に保存することを特徴とするデータ測定システム。
【請求項４】
データ測定装置は測定データとともにネットアラーム情報の履歴データも内部に保存することを特徴とする請求項２または３記載のデータ測定システム。
【請求項５】
データ測定装置とネットワーク監視手段が一体化されたことを特徴とする請求項１〜３のいずれかに記載のデータ測定システム。
【請求項６】
データ測定装置とネットワーク監視手段は独立していることを特徴とする請求項１〜３のいずれかに記載のデータ測定システム。
【請求項７】
１台のネットワーク監視手段で複数のデータ測定装置を制御することを特徴とする請求項６記載のデータ測定装置。
【発明の詳細な説明】
【０００１】
【発明の属する技術分野】
本発明はデータ測定システムに関し、詳しくは、ネットワーク通信機能を備えたデータ測定システムの改良に関するものである。
【０００２】
【従来の技術】
図４は従来のネットワーク通信機能を備えたデータ測定システムの一例を示すブロック図である。図４において、ネットワークＮＷには、記録計やデータロガーなどのデータ測定装置Ｍとデータサーバーやパソコンなどの外部装置ＥＸが接続されている。
【０００３】
データ測定装置Ｍについて説明する。
測定入力部１は、測定した電圧、温度、圧力などのアナログ量をデジタル値に変換し、測定データとして制御部２に出力する。
制御部２は、これら測定データを必要に応じて第１メモリ３に一時的に保存する。なお第１メモリ３としては例えばＳＲＡＭやＤＲＡＭなどの高速アクセスおよび高速読み出し／書き込みが可能なメモリを使用する。そして、第１メモリ３に保存された測定データを所定のデータサイズのパケットデータに変換し、ネットワーク通信インターフェイス部４およびネットワークＮＷを経由して指定された外部装置ＥＸに送信する。
【０００４】
第２メモリ５は、ハードディスク、ＺＩＰ、フラッシュメモリ、メモリカードなどの大容量のメモリである。制御部２は、ネットワーク通信を使用しない場合などに測定データを第１メモリ３から第２メモリ５に転送保存する。そして、制御部２は、第２メモリ５に保存される測定データについても、第１メモリ３に保存された測定データと同様に、ネットワーク通信インターフェイス部４およびネットワークＮＷを経由して外部装置ＥＸへの転送を制御する。なおこれらの機能は、オペレータが選択できる。
【０００５】
アラーム出力部６は、測定値に対するアラーム値を設定して、測定値がアラーム値を越えたときにアラーム信号を出力する機能を備えている。
【０００６】
【発明が解決しようとする課題】
このような従来の構成において、既存のネットワークＮＷを利用する場合、そのネットワークＮＷの負荷が重くなったり、ネットワークＮＷに異常が発生して通信が正常に行われなくなると、次のような問題が発生する。
１）リアルタイムで測定データを外部の装置に転送して保存するのにあたって、測定データを転送できなくなり、その時点での測定データを消失してしまう危険性がある。ネットワークＮＷの異常が長時間発生した場合には、その間の全測定データを消失してしまう。
２）ネットワークＮＷの異常が自動的に復旧して測定が継続すると、オペレータは測定データの消失を全く知らずに過ぎてしまう。
【０００７】
本発明はこのような問題点に着目したものであり、その目的は、ネットワークに異常が発生しても安定した測定動作が継続できるデータ測定システムを提供することにある。
【０００８】
【課題を解決するための手段】
このような目的を達成する請求項１の発明は、
データ測定装置で測定した測定データを、ネットワークを介して外部装置に送出するように構成されたデータ測定システムにおいて、
ネットワークの異常を検知してネットアラーム情報を出力する機能を有するネットワーク監視手段が接続され、
データ測定装置は、ネットワーク監視手段から出力されるネットアラーム情報を受けて、測定データの外部への送出を停止し測定データとともにネットアラーム情報の履歴データも内部に保存することを特徴とするデータ測定システムである。
【０００９】
これにより、ネットワークが異常になっている期間内におけるデータ測定装置の測定データの消失を防止できる。また、データ測定装置の測定データとネットワークの状態との時間関係を把握できる。
請求項２の発明は、データ測定装置で測定した測定データを、ネットワークを介して外部装置に送出するように構成されたデータ測定システムにおいて、
ネットワークの異常を検知してネットアラーム情報を出力する機能を有するネットワーク監視手段が接続され、
データ測定装置は、ネットワーク監視手段から出力されるネットアラーム情報を受けて、測定データの外部への送出を停止し内部に保存し、ネットワークが回復した時点でネットワーク異常期間中に内部に保存していた測定データをネットアラーム情報の履歴データとともにネットワークを介して外部装置に送出することを特徴とする。
これにより、ネットワークが異常になっている期間内におけるデータ測定装置の測定データの消失を防止できる。また、外部装置は、ネットワーク異常期間中についても欠落のない測定データを得られる。
請求項３の発明は、データ測定装置で測定した測定データを、ネットワークを介して外部装置に送出するように構成されたデータ測定システムにおいて、
ネットワークの異常を検知してネットアラーム情報を出力する機能を有するネットワーク監視手段が接続され、
ネットワーク監視手段から出力されるネットアラーム情報を外部に出力するためのネットワーク以外の通信手段を設け、
データ測定装置は、ネットワーク監視手段から出力されるネットアラーム情報を受けて、測定データの外部への送出を停止し内部に保存することを特徴とする。
これにより、ネットワークが異常になっている期間内におけるデータ測定装置の測定データの消失を防止できる。また、外部装置はネットワークの状況を的確に把握できる。
【００１０】
請求項４の発明は、請求項２または３記載のデータ測定システムにおいて、データ測定装置は測定データとともにネットアラーム情報の履歴データも内部に保存することを特徴とする。
【００１１】
これにより、データ測定装置の測定データとネットワークの状態との時間関係を把握できる。
【００１２】
請求項５の発明は、請求項１〜３のいずれかに記載のデータ測定システムにおいて、データ測定装置とネットワーク監視手段が一体化されたことを特徴とする。
【００１３】
これにより、データ測定システムの構成を簡略化できる。
【００１４】
請求項６の発明は、請求項１〜３のいずれかに記載のデータ測定システムにおいて、データ測定装置とネットワーク監視手段は独立していることを特徴とする。
【００１５】
請求項７の発明は、請求項６記載のデータ測定システムにおいて、１台のネットワーク監視手段で複数のデータ測定装置を制御することを特徴とする。
【００１６】
これらにより、複数のデータ測定装置を効率よく制御できる。
【００２１】
【発明の実施の形態】
以下、図面を用いて本発明の実施の形態を説明する。
図１は本発明に基づくデータ測定システムの実施の形態例を示すブロック図であって、図４と共通する部分には同一の符号を付けている。図１において、ネットワーク監視部７は、ネットワークＮＷの負荷を測定したり、異常を監視するなどの機能を備えている。
【００２２】
ネットワーク監視部７は、測定データの取り込み期間内は常にネットワークＮＷの状態を監視している。そして、負荷が重くなったり、ネットワークＮＷに異常が発生した場合には、制御部２へネットアラーム信号を送信する。
【００２３】
制御部２は、このネットアラーム信号を受けると、第１メモリ３から読み込んだ測定データをネットワーク通信インターフェイス部４へは転送せず、第２メモリ５へ書き込むように制御する。第２メモリ５への測定データの書き込みは、ネットアラーム信号が解除されるまで続けられる。そして、ネットアラーム信号が解除されることにより、測定データのネットワーク通信インターフェイス部４への転送を再開する。
【００２４】
制御部２は、ネットアラーム信号の履歴管理も行う。ネットアラーム信号が発生した日付と時刻、測定データ数などのネットアラーム情報を測定データに付加し、データファイルとして第２メモリ５に保存する。
【００２５】
そして、通信が再開される場合には、前もって指定された例えば外部装置ＥＸのアドレスに、これらネットアラーム情報をＥ―Ｍａｉｌメッセージとして転送する。
【００２６】
また、これらネットアラーム情報を、必要に応じてネットワーク以外の手段、例えばアラーム出力部６を介して外部装置ＥＸに出力する。
【００２７】
ネットワークＮＷの異常が復旧して通信が再開されると、測定インターバルに対して通信速度が十分に速い場合には、第２メモリ５に保存したデータを最初に外部装置ＥＸなどの所定の転送先へ転送する。このとき、ネットアラーム情報も転送する。
【００２８】
これにより、外部装置ＥＸは、ネットワークＮＷに異常発生したことの影響を全く意識することなく実質的に連続して測定データを保存するのと等価な処理を行う。
【００２９】
このように、ネットワーク通信インターフェイス部４にネットワーク監視部７を付加することにより、以下のような効果が得られる。
１）ネットワークＮＷの状況を常に監視できることから、ネットワークＮＷ上の負荷が増加してデータが送信しにくくなったり、ネットワークＮＷ上で異常が発生した場合には、測定データを第２メモリ５に保存することで測定データの消失を防止できる。
【００３０】
２）第２メモリ５として大容量のメディア（リムーバルも可能）を採用することにより、通信が長時間復旧しない場合にもその期間の測定データを保存することができる。
３）ネットワークＮＷ上の通信が停止したときに出力するネットアラーム情報を管理することにより、ネットアラームの履歴を残すことができる。
【００３１】
４）ネットワークＮＷにおける異常の復旧をE-Mailなどを使用して所定の指定先へ直ちに連絡できるので、指定先では必要な対応を取ることができる。
５）アラーム出力部を持っているので、ネットワークが復旧しない場合にも、ネットワーク以外の通信手段でネットアラーム発生を他の装置へ伝えることができる。
６）測定インターバルに対して通信速度が十分に速い場合には、第２メモリ５に保存した測定データをネットワーク復旧時の最初に転送することで、連続して測定が行われたのと等価の測定結果を得ることができる。
【００３２】
なお、図１の例ではネットワーク監視部７をネットワーク通信インターフェイス部４に組み込んでいるが、図２に示すように別の装置として独立させてネットワークＮＷに接続するとともに、装置相互間をネットワーク以外の通信部９，１０で接続する構成であってもよい。
【００３３】
図２において、データ測定装置Ｍには、ネットワークＮＷを介在させない通信部８やデジタル信号入力あるいはアナログ信号入力機能を備える。独立したネットワーク監視装置７にも、ネットワークＮＷを介在させない通信部９やデジタル信号出力あるいはアナログ信号出力機能を設ける。
【００３４】
これにより、ネットワーク監視装置７は、ネットワークＮＷに異常が発生した場合にはネットアラーム発生情報を出力することができ、図１と同様な動作が実現できる。
【００３５】
また図３に示すように、１台のネットワーク監視装置７の通信あるいはデジタル信号出力あるいはアナログ信号出力を複数のデータ測定装置Ｍ１〜Ｍｎへ転送するように構成することで、ネットワークＮＷの監視効率を高められる。
【００３６】
【発明の効果】
以上説明したように、本発明によれば、ネットワークに異常が発生しても安定した測定動作が継続できるデータ測定システムが実現でき、ネットワークを用いた各種のデータ測定システムに好適である。
【図面の簡単な説明】
【図１】本発明に基づくデータ測定システムの実施の形態例を示すブロック図である。
【図２】本発明に基づくデータ測定システムの他の実施の形態例を示すブロック図である。
【図３】本発明に基づくデータ測定システムの他の実施の形態例を示すブロック図である。
【図４】従来のデータ測定システムの一例を示すブロック図である。
【符号の説明】
ＮＷ  ネットワーク
ＥＸ  外部装置
Ｍ  データ測定装置
１  測定入力部
２  制御部
３  第１メモリ
４  ネットワーク通信インターフェイス部
５  第２メモリ
６  アラーム出力部
７  ネットワーク監視部（装置）
８，９  通信部
【図１】
0003653723.tif 000002
【図２】
0003653723.tif 000003
【図３】
0003653723.tif 000004
【図４】
0003653723.tif 000005